(57)【要約】【課題】弾球遊技機の遊技盤面上に向けて打ち出された遊技球が案内レールの上端から飛び出した後、案内レールに戻るのを阻止する玉戻り防止装置において、より少ない部品と簡易な構造によって玉戻り防止板の着脱及び交換を容易かつ確実に行うことができるようにする。【解決手段】弾球遊技機の遊技盤面１上に遊技球を案内する案内レール２と、案内レール２の上端部２ａに、先端が上方を向くように設けられる弾性体片１１とを備える玉戻り防止装置１０において、案内レール２は、上端部２ａが枝別れして延びた分岐部２ｂを有するとともに、上端部２ａと分岐部２ｂとの間に凹部２ｄを形成し、弾性体片１１の基端部は、凹部２ｄ内に嵌合するように形成されている。【選択図】図２
2006320744.tif 000002
【特許請求の範囲】
【請求項１】
弾球遊技機の遊技盤面上に遊技球を案内する案内レールと、
前記案内レールの上端部に、先端が上方を向くように設けられる弾性体片とを備える玉戻り防止装置において、
前記案内レールは、前記上端部が枝別れして延びた分岐部を有するとともに、前記上端部と前記分岐部との間に凹部を形成し、
前記弾性体片の基端部は、前記凹部内に嵌合するように形成されていることを特徴とする、弾球遊技機の玉戻り防止装置。
【請求項２】
請求項１記載の玉戻り防止装置において、
前記凹部の形状は、略Ｕ字形に形成され、
前記弾性体片の基端部は、略Ｕ字形に弾性変形されて、前記凹部内に嵌合されていることを特徴とする、弾球遊技機の玉戻り防止装置。
【請求項３】
請求項１又は２記載の玉戻り防止装置において、
前記分岐部の先端部は、前記凹部の形状が底部から開口部に向けて先細りになるように、前記案内レールに近接していることを特徴とする、弾球遊技機の玉戻り防止装置。
【請求項４】
請求項１乃至３のいずれか記載の玉戻り防止装置において、
前記分岐部は、前記凹部の側に前記遊技盤面とほぼ平行に突設した折返し部が形成され、
前記弾性体片の基端部は、前記折返し部により前記凹部内に挟持されることを特徴とする、弾球遊技機の玉戻り防止装置。
【請求項５】
請求項１乃至４のいずれか記載の玉戻り防止装置において、
前記分岐部は弾性を有し、
前記分岐部の先端は、前記遊技盤面上にねじで止められ、
前記分岐部は、前記ねじで止められときに、前記凹部内に嵌合された前記弾性体片の基端部とともに、前記上端部側に弾性変形され、前記ねじが外されたときに、前記上端部から離れるように移動可能になることを特徴とする、弾球遊技機の玉戻り防止装置。
【請求項６】
請求項１乃至５のいずれか記載の玉戻り防止装置において、
前記案内レールは合成樹脂により成形されていることを特徴とする、弾球遊技機の玉戻り防止装置。
【発明の詳細な説明】
【技術分野】
【０００１】
本発明は、パチンコ機等の弾球遊技機の遊技盤面上に設けられる玉戻り防止装置に関する。
【背景技術】
【０００２】
例えばパチンコ機においては、遊技者のハンドル操作により遊技球が遊技盤面上に向けて発射され、案内レールに沿って遊技盤面の上部に到達する。このとき、発射玉は遊技盤面上の障害釘に当たって跳ね返され、再び案内レールへと戻る場合がある。このような玉戻りを防止するため、案内レールの先端に玉戻り防止装置が設けられているが、玉戻り防止装置は、玉が当るときの衝撃等により破損することがあるので、交換可能であることが望ましい。このため、玉戻り防止装置を別部材で案内レールの先端に着脱可能な構造とするのが一般的である。
【０００３】
例えば、誘導内レール（内側の案内レール）の上端部に配置される取付ホルダーと、この取付ホルダーに装着され、かつ誘導内レールの外側に設けられた誘導外レール（外側の案内レール）の近傍まで垂直状に延設される弾性薄片とから成り、取付ホルダーに形成された位置決めボスを遊技盤の穴に差し込むことで取り付けられた玉逆流防止装置が開示されている（特許文献１参照）。
【０００４】
しかし、このような玉戻り防止装置では、案内レールの先端に弾性薄片を取り付けるために上記取付ホルダーのような取付部材を別途設ける必要がある。更に、この取付部材の設置や弾性薄片の装着のためにネジ等の部品が必要であるとともに、弾性薄片を装着する構造が複雑化し、結果として玉戻り防止装置の着脱や交換が容易でない。
【０００５】
また、従来の玉戻り防止装置としては、例えば、遊技盤面上の内側案内レールの上端部に、弾性体片からなる玉戻り防止板を、その上端が上方を向くように、かつ、その上端と外側案内レールとの距離が遊技球の直径より小さく遊技球の半径より大きくなるように、取り付けて構成したものも知られている（特許文献２参照）。
この玉戻り防止装置によると、玉戻り防止板の取付構造は若干簡略化されているが、パチンコ機の遊技盤面と正面側のガラス面との間に２本の案内レールがあり、発射装置から打ち出された玉はこれら２本の案内レールで仕切られた通路内を移動するので、上記の玉戻り防止装置では、遊技球は、案内レールの上端部に取り付けられた弾性体片の先端を押し開いて飛び出す際、遊技盤面上でなく正面側のガラス面上を滑走することがある。このため、遊技球の滑走軌跡が安定せず、遊技者の望む通りに遊技球を遊技盤面上に打ち込むことが難しい。
【特許文献１】特開平５−１７７０３３号公報
【特許文献２】実公平３−３０１３８号公報
【発明の開示】
【発明が解決しようとする課題】
【０００６】
従って、本発明の目的は、弾球遊技機の遊技盤面上に向けて打ち出された遊技球が案内レールの上端から飛び出した後、案内レールに戻るのを阻止する玉戻り防止装置において、より少ない部品と簡易な構造によって玉戻り防止板の着脱及び交換を容易かつ確実に行うことができるようにすることである。
【０００７】
もう１つの目的は、案内レールの上端から飛び出した遊技球が遊技盤面上を安定して移動できるようにする玉戻り防止装置を提供することである。
【課題を解決するための手段】
【０００８】
本発明の第１の態様は、弾球遊技機の遊技盤面上に遊技球を案内する案内レールと、上記案内レールの上端部に、先端が上方を向くように設けられる弾性体片とを備える玉戻り防止装置において、上記案内レールは、上記上端部が枝別れして延びた分岐部を有するとともに、上記上端部と上記分岐部との間に凹部を形成し、上記弾性体片の基端部は、上記凹部内に嵌合するように形成されていることを特徴とする。
【０００９】
本発明の第２の態様において、上記凹部の形状は、略Ｕ字形に形成され、上記弾性体片の基端部は、略Ｕ字形に弾性変形されて、上記凹部内に嵌合されていることが好ましい。
【００１０】
本発明の第３の態様において、上記分岐部の先端部は、上記凹部の形状が底部から開口部に向けて先細りになるように、上記案内レールに近接していることが好ましい。
【００１１】
本発明の第４の態様において、上記分岐部は、上記凹部の側に上記遊技盤面とほぼ平行に突設した折返し部が形成され、上記弾性体片の基端部は、上記折返し部により上記凹部内に挟持されることが好ましい。
【００１２】
本発明の第５の態様において、上記分岐部は弾性を有し、上記分岐部の先端は、上記遊技盤面上にねじで止められ、上記分岐部は、上記ねじで止められときに、上記凹部内に嵌合された上記弾性体片の基端部とともに、上記上端部側に弾性変形され、上記ねじが外されたときに、上記上端部から離れるように移動可能になることが好ましい。
【００１３】
本発明の第６の態様において、上記案内レールは合成樹脂により成形されていることが好ましい。
【００１４】
本発明の第１の態様によれば、弾性体片は、その基端部が案内レールの上端部と分岐部との間に形成された凹部に嵌合することにより、遊技盤面上で案内レールの上端部に、先端が上方を向くように取り付けられる。すなわち、弾性体片を取り付けるために別部材を用いず、案内レールの上端部とこれから枝別れした分岐部とで弾性体片の基端部を押えることにより、弾性体片が遊技盤面上に装着される。このとき、弾性体片の先端部は外側の案内レールの方に付勢される。
【００１５】
従って、発射装置から打ち出され案内レールに沿って移動してきた遊技球は、案内レールの上端に位置する弾性体片の先端部を押し開いて進行する。そして、弾性体片の先端から飛び出した遊技球は、遊技盤面上の障害釘に当って案内レール内に戻ろうとしても、弾性片に阻止されるので、戻ることができない。
【００１６】
上記のように、弾性体片は、案内レールの上端部に別部品を用いることなく直接取り付けられるので、その取付構造は簡潔であり、弾性体片の着脱や交換が容易に行われる。
【００１７】
本発明の第２の態様によれば、凹部の形状を、略Ｕ字形に形成し、弾性体片の基端部を、略Ｕ字形に弾性変形させて、凹部内に嵌合したので、上端部と分岐部で挟み込むことにより、弾性体片を案内レールの上端部に装着できる。
【００１８】
本発明の第３の態様によれば、分岐部の先端部を、凹部の形状が底部から開口部に向けて先細りになるように、案内レールに近接させて形成したので、この凹部に嵌合した弾性体片の基端部を凹部の底部から開口部に向けて絞り込むことができる。
【００１９】
本発明の第４の態様によれば、分岐部の凹部の側に遊技盤面とほぼ平行に突設した折返し部を形成し、当該折返し部により弾性体片の基端部を凹部内に挟持したので、弾性体片は、弾球遊技機の正面のガラス板面側に外れることなく、遊技盤面上に確実に取り付けられる。
【００２０】
本発明の第５の態様によれば、分岐部を弾性とし、この分岐部の先端を、遊技盤面上にねじで止められたときに、凹部内に嵌合された弾性体片の基端部とともに、上端部側に弾性変形され、ねじが外されたときに、上端部から離れるように移動可能にした。これにより、分岐部自体の弾性により、分岐部を案内レールの上端部から離間させて凹部を拡げることができる。また、弾性体片を取り付けるときも、上記のように案内レールの上端部から分岐部を離間させて拡大した凹部に弾性体片の基端部を挿入後、分岐部の先端部をねじで遊技盤面上に固定すればよいので、弾性体片を装着するために別途取付部材を必要とせず、弾性体片を凹部に装着することが可能となる。従って、例えば破損した弾性体片を交換するときは、ねじを遊技盤面から外すだけで弾性体片を取り外すことができ、新たな弾性体片を凹部に嵌め込んで、分岐部の先端をねじで固定すればよく、その作業を容易に行われる。
【００２１】
本発明の第６の態様によれば、案内レールを合成樹脂により成形したので、案内レールの成形が容易になる。
【発明の効果】
【００２２】
本発明の弾球遊技機の玉戻り防止装置によれば、弾性体片は、案内レールの上端部に別部品を用いることなく直接取り付けられるので、その取付構造は簡潔であり、弾性体片の着脱や交換が容易に行われる。
【発明を実施するための最良の形態】
【００２３】
図１は、本発明の玉戻り防止装置を設置する弾球遊技機の一例のパチンコ遊技機の遊技盤面を示す。この遊技盤面１上には、その左側の部分において円弧状の内外２本の案内レール２，３が配設される他、図示しない多数の釘、その他遊技用備品が配置されている。実施例の玉戻り防止装置１０は、遊技盤面１上の円Ａで囲まれた部位において、内側の案内レール２の上端部に弾性体片１１を後述のように装着することで構成される。
【００２４】
なお、案内レール２，３は弾性を有する材料（例えばナイロン等の合成樹脂）により成形され、下側の端縁部に所定の間隔を置いて一体に突設した複数の突起を、遊技盤面１上の所定位置に設けた穴（図示省略）に嵌合することにより、遊技盤面１上に固定される。
【００２５】
遊技時には、遊技者のハンドル操作により発射された玉は、図の遊技盤面１の下端から外側の案内レール３に沿って上方に移動し、内側の案内レール２の上端に取り付けられた玉戻り防止板としての弾性体片１１を弾性変形させて、遊技盤面１の中央上部へ到達する。
【００２６】
図２は、図１の円Ａで囲まれた部分を拡大した図である。
【００２７】
案内レール２の上端部２ａには、途中から枝分かれした分岐部２ｂが一体に形成されている。この分岐部２ｂは、上端部２ａから右方に突出して上方に向ってＳ字形を成し、上端部２ａと分岐部２ｂとの間にＵ字状の凹部２ｄを形成している。分岐部２ｂの先端部２ｃは、案内レール２の先端２ｅに近接するように形成され、後述のようにねじ（ビス）４によって遊技盤面１上に固定される。
【００２８】
玉戻り防止板としての弾性体片１１は、例えばステンレス板等により形成される薄板部材から成り、図４及び図５に示すように、ほぼＵ字形に曲げられた基端部１１ａから先端部１１ｂに向かって幅が狭くなるように切り欠かれている。取り付けの際には、弾性体片１１の基端部１１ａを、上記のように案内レール２の上端部２ａと分岐部２ｂとの間に形成された凹部２ｄに嵌合させて上端部２ａと分岐部２ｂで挟み込むことにより、弾性体片１１が案内レール２の上端部２ａに装着される。このとき、弾性体片１１の先端部１１ｂは、図１に示すように外側の案内レール３の方に付勢され、その先端部１１ｂと外側の案内レール３との距離は遊技球（この場合、遊技球）の半径より小さくなるように設置される。これにより、戻り玉の進入が確実に阻止される。
【００２９】
また、図３に示すように、案内レール２の分岐部２ｂの端縁は、凹部２ｄの側に遊技盤面１とほぼ平行に突設した折返し部２ｆとして形成されている。この折返し部２ｆにより、弾性体片１１の基端部１１ａが凹部２ｄ内に挟持され、弾性体片１１は正面のガラス板５（図７）側に抜けないように取り付けられる。
【００３０】
図２の玉戻り防止装置１０において、上記のように取り付けられた弾性体片１１は、案内レール２の分岐部２ｂを止めるビス４を外すだけで、容易に取り外すことができる。詳細には、図４及び図６に示すように、分岐部２ｂの先端部２ｃにビス４を縦方向に貫通させる孔２ｇが設けられており、ビス４をこの孔２ｇから遊技盤面１にねじ込むことにより、分岐部２ｂが遊技盤面１上に固定される。換言すれば、ビス４を遊技盤面１に止めない状態では、分岐部２ｂの先端部２ｃは、遊技盤面１上で案内レール２の上端部２ａに対して移動可能である。
【００３１】
このため、案内レール２自体の弾性により、図６に示すように、分岐部２ｂを案内レール２の上端部２ａから離間させて凹部２ｄを拡げることができる。この結果、凹部２ｄに嵌合していた弾性体片１１の基端部１１ａを容易に取り出すことができる。また、弾性体片１１を取り付けるときも、上記のように案内レール２の上端部２ａから分岐部２ｂを離間させて拡大した凹部２ｄに弾性体片１１の基端部１１ａを挿入後、分岐部２ｂの先端部２ｃをビス４で遊技盤面１上に固定すればよい。
【００３２】
上述の構成によれば、弾性体片１１を装着するために別途取付部材を必要とせず、弾性体片１１の基端部１１ａは、上記のように枝別れした分岐部２ｂを有する案内レール２の上端部２ａに装着されるとともに、弾性体片１１の先端部１１ｂが外側の案内レール３に近接する状態で取り付けられる。従って、例えば破損した弾性体片１１を交換するときは、ビス４を遊技盤面１から外すだけで弾性体片１１を取り外すことができ、新たな弾性体片を上記のように凹部２ｄに嵌め込んで、案内レール２の分岐部２ｂをビス４で固定すればよく、その作業は容易に行われる。
【００３３】
上記の実施例では、案内レール２の上端部２ａに対する分岐部２ｂの位置関係は、図２に示した状態を分岐部２ｂの自然な（力がかかっていない）位置とし、この位置に分岐部２ｂをビス４で固定し、弾性体片１１を取り外す際には、ビス４を遊技盤面１から抜いて分岐部２ｂを上端部２ａから離間させることにより、図６の位置に設定するようにしているが、これとは逆に、図６に示した状態を自然な位置とし、このとき凹部２ｄに弾性体片１１の基端部１１ａを挿入し、分岐部２ｂを案内レール２の上端部２ａ側に押し込むように弾性変形させて、ビス４で固定するようにしてもよい。この場合は、ビス４を外せば、案内レール２自体の弾性により上端部２ａから分岐部２ｂが離れた状態となり、弾性体片１１を容易に凹部２ｄから取り出したり、凹部２ｄ内に挿入したりすることができる。
【００３４】
また、上記実施例においては、弾性体片１１の遊技盤面側が先端部１１ｂに向って斜めに切り欠かれているので、図７に示すように、弾性体片１１に当った遊技球Ｐは、弾性体片１１を押し開きながら、その遊技盤面側の切り欠かれた縁１１ｃに沿って遊技盤面１上を転動する。このため、遊技球Ｐは、正面側のガラス板５の面に当接することなく転動し、安定した滑走軌跡を描いて遊技盤面１の上部に到達する。
【００３５】
更に、上記実施例では、外側の案内レール３と弾性体片１１の先端部１１ｂとの間隔を遊技球Ｐの半径より小さくなるように設定したことにより、遊技盤面１上の障害釘（図示せず）に当って案内レール２，３の方に戻ろうとする遊技球が弾性体片１１の先端部に当った時には、その先端部１１ｂが外側の案内レール３に近接または当接するので、戻り玉の進入が確実に阻止される。
【００３６】
本実施例の態様は、弾球遊技機の案内レールの上端部に、玉戻り防止板としての弾性体片をその先端が上方を向くように設けることによって構成される玉戻り防止装置であって、案内レールの上端部から枝別れして延びた分岐部と該上端部との間に凹部を有し、弾性体片の基端部が上記凹部内に嵌合するように形成したことを特徴とする。
【００３７】
本実施例の実施態様において、上記分岐部の先端は遊技盤面上にねじ止めされることが好ましい。
【００３８】
別の実施態様において、上記分岐部の端縁は上記凹部の側に遊技盤面とほぼ平行に突設した折返し部として形成され、該折返し部により弾性体片の基端部が凹部内に挟持されることが好ましい。
【００３９】
更に別の実施態様において、上記弾性体片は、その先端部の遊技盤面側を先端に向かって幅が狭くなるように切り欠いた形状を有することが好ましい。また、弾性体片は、その先端と外側の案内レールとの距離が遊技球の半径より小さくなるように設置されることが好ましい。
【００４０】
弾性体片は、その基端部が案内レールの上端部と分岐部との間の凹部に嵌合することにより、遊技盤面上で案内レールの上端部に取り付けられる。すなわち、弾性体片を取り付けるために別部材を用いず、案内レールの上端部とこれから枝別れした分岐部とで弾性体片の基端部を押えることにより、弾性体片が遊技盤面上に装着される。このとき、弾性体片の先端部は外側の案内レールの方に付勢される。
【００４１】
従って、発射装置から打ち出され案内レールに沿って移動してきた遊技球は、案内レールの上端に位置する弾性体片の先端部を押し開いて進行する。そして、弾性体片の先端から飛び出した遊技球は、遊技盤面上の障害釘に当って案内レール内に戻ろうとしても、弾性片に阻止されるので、戻ることができない。
【００４２】
上記のように、弾性体片は、案内レールの上端部に別部品を用いることなく直接取り付けられるので、その取付構造は簡潔であり、弾性体片の着脱や交換が容易に行われる。
【００４３】
本実施例の実施態様によれば、案内レールの分岐部は、その先端をねじ止めすることで遊技盤面上に固定される。換言すれば、分岐部の先端は、ねじを外すことにより、遊技盤面上で案内レールの上端部に対して移動可能になる。このため、案内レール自体の弾性により、分岐部を案内レールの上端部から離れるように動かすことができ、案内レールの上端部と分岐部との間の凹部に嵌合していた弾性体片の基端部を容易に取り外すことができる。また、弾性体片を取り付けるときは、案内レールの上端部から分岐部を離れるように動かして、その間の凹部に弾性体片の基端部を挿入後、分岐部の先端をねじ止めすればよい。
【００４４】
他の実施態様によれば、案内レールの分岐部の端縁は、上記凹部の側に遊技盤面とほぼ平行に突設した折返し部として形成され、この折返し部により弾性体片の基端部が凹部内に挟持されるので、弾性体片は、弾球遊技機の正面のガラス板面側に外れることなく、遊技盤面上に確実に取り付けられる。
【００４５】
更に別の実施態様によれば、弾性体片は、その先端部の遊技盤面側を幅が狭くなるように切り欠かれたことによって弾性係数が小さくなり、遊技球が弾性体片の先端部を押し開くときの抵抗も少なくなる。これにより、遊技球は正面側のガラス面を滑走することがなく、滑走の軌跡が安定するので、遊技者は、発射操作により遊技球を望む通りに遊技盤面上に打ち込むことができる。
【００４６】
更に、弾性体片の先端と外側の案内レールとの距離が遊技球の半径より小さくなるように設置した場合には、戻り球が弾性片の先端部に当ったとき弾性片の先端が外側の案内レールに近接または当接するので、戻り球の進入をより確実に阻止できる。この場合、弾性体片の先端と外側の案内レールとの間隔が短くても、上記のように遊技球が弾性体片の先端部を押し開くときの抵抗が少ないので、支障はない。
【００４７】
なお、本実施例の玉戻り防止装置を弾球遊技機の遊技盤面に組み付ける際、弾性体片の先端部の形状により、位置決めが容易かつ確実になるという効果も得られる。
【図面の簡単な説明】
【００４８】
【図１】パチンコ遊技機において本発明の実施例を設置した遊技盤面の概略図。
【図２】図１の円Ａで囲まれた部分を拡大して示す図。
【図３】図２の線III−IIIに沿った断面の概略を示す図。
【図４】遊技盤面上の案内レールに取り付けた玉戻り防止装置の斜視図。
【図５】図４の玉戻り防止装置における弾性体片の斜視図。
【図６】実施例の玉戻り防止装置において弾性体片を取り外した状態を示す図。
【図７】遊技盤面上に設置した玉戻り防止装置の弾性体片に沿って遊技球が移動する状態を示す略断面図。
【符号の説明】
【００４９】
１…遊技盤面、２…内側の案内レール、２ａ…案内レールの上端部、２ｂ…分岐部、２ｃ…先端部、２ｄ…凹部、２ｅ…案内レールの先端、２ｆ…折返し部、２ｇ…孔、３…外側の案内レール、４…ビス、５…ガラス板、１０…玉戻り防止装置、１１…弾性体片。
【図１】
2006320744.tif 000003
【図２】
2006320744.tif 000004
【図３】
2006320744.tif 000005
【図４】
2006320744.tif 000006
【図５】
2006320744.tif 000007
【図６】
2006320744.tif 000008
【図７】
2006320744.tif 000009